(57)【要約】【課題】毛の構成により、毛寸の異なる肌触りの良い獣毛と段階的に得た人工毛の毛長で毛穴の洗浄効果と石鹸の泡立て効果と獣毛の柔軟な腰の補強した洗顔ブラシである。【解決手段】  同じ毛長の毛束の密度が高いと毛穴に毛先が密集して毛穴に入り難く十分な洗浄が困難で、獣毛は腰が柔らかく肌触りは良いが腰が柔らか過ぎるので、腰の強い人工毛の根本を斜めにカットし段階的に毛長を変えることによって、獣毛の柔軟さ肌触りを生かし人工毛の腰の硬さで補い、人工毛の段階的な毛長により、短寸の人工毛が石鹸を良く溶かし、段々と長くなる毛寸が石鹸の泡を小さくし、１．５〜２．０％の短寸の人工毛が混合されているので、獣毛が適度に間伐された状態の中で獣毛の腰の弱さを補強し、毛穴に入り易く効果ある洗浄が出来る。【選択図】図７
2007236715.tif 000002
【特許請求の範囲】
【請求項１】
長寸の獣毛と、これより１．５％〜２．０％短い短寸の獣毛と、人工毛とがほぼ同量に混合され毛束をハンドル部に固着した洗顔ブラシにおいて、人工毛の長さが長寸の１．０〜０．５倍の長さに分布していることを特徴とする洗顔ブラシ。
【請求項２】
長さの揃った人工毛の毛束で、毛下の下底端の半分を斜めにカットし、該カット端の高さを揃えることにより、上端の高さが１．０〜０．５倍の長さに揃えられることを特徴とする請求項１記載の洗顔ブラシの製造方法。
【発明の詳細な説明】
【技術分野】
【０００１】
洗顔を試みた場合、石鹸や洗顔剤の泡だけでは、肌の表面に付着した固有物や毛穴の汚れが十分洗浄できるよう毛の構成で解決した洗浄ブラシを提供する。
【背景技術】
【０００２】
肌に付着した油分や汚れ、固有物を石鹸や洗顔剤の泡だけでは、洗顔効果をあげることが不可能で固有物や毛穴まで十分洗浄出来るよう洗浄ブラシを毛の構成で解決したものである。
【０００３】
毛束を製作する時、一本一本の毛は、毛先の先端が尖っていると肌触りが良いが、毛先が尖ったものを使用しても同じ長寸で穂を形成すると、毛束にする時固く絞めているので毛束の密度が高く、周辺の毛が邪魔して一本の毛先が毛穴に入り難く洗顔効果が低下する、又、穂の形状を形成するため毛先が平たくカットされたものがあるが、毛穴に入らないので毛穴の中まで洗浄は困難となる欠点を解決した洗顔ブラシである。
【０００４】
従来の洗顔ブラシを説明すると、洗顔ブラシの穂先と言えば、毛の先の尖った方が穂先で、獣毛の腰が柔らかく肌触りが良いとされている。該洗顔ブラシの穂は、ブラシの大きさに応じた同長の毛量を図２のように獣毛や人工毛単体で円筒状に束ね、洗顔ブラシの手で持つ柄をハンドルと呼び、該ハンドルに固着したものである。また、多くの洗顔ブラシは、石鹸の泡立て効果を目的として、獣毛と腰の強い人工毛を混合した洗顔ブラシがある。
【０００５】
最近の先行技術として、ハンドルに連続した植毛部に、第１、第２の２種類の毛束を、それぞれ複数、混合して植毛し、上記第１の毛束の長さを第２の毛束の長さよりも長くするとともに、第１の毛束を、毛先に向かって細くなるテーパー状にした合成樹脂製の毛で構成し、第２の毛束を、円柱状の合成樹脂の毛で構成したことを特徴とし、前記第２の毛束を構成する毛をナイロン製としたことを特徴とし、第１の毛束の量を、全植毛量の30%以上70%以下にすることを特徴とする洗顔用ブラシである。（実登３１１４６１２）
【０００６】
しかしながら、前述の洗顔ブラシは、石鹸の泡立ち効果は良好と思われるが、毛がナイロン製だけでは、腰が強いため肌さわりが悪く、また、第１の毛束を同寸の１つの円柱状に纏まってハンドルに植毛されているが、同寸の毛束のため、毛束密度が高く一本の毛が毛穴に入る場合、同寸の毛に阻害され毛穴には、十分に入り難く十分に洗浄できない欠点がある。
【０００７】
この出願の発明に関する先行技術文献情報としては次のものがある。
【特許文献１】実登３１１４６１２号
【特許文献２】特開２０００−２０１７４３号
【特許文献３】特開平１０−１６５２２４号
【０００８】
いずれにしても、どの特許文献も、石鹸の泡立ちが主力で皮膚の表面の油や汚れ固有物を落すことは出来るが、獣毛と人工毛を組み合わせ、あるいは単体で腰の強さのみを調整したもので、泡立てを目的としているが、毛束密度がたかく毛同士が邪魔をして肌の毛穴まで毛が侵入するのが困難で毛穴までの洗顔が不十分である為、毛穴の汚れに細菌が繁殖して吹き出物が発生する可能性と毛穴の汚れが十分洗浄できず肌の黒ずみが残る欠点がある。
【発明の開示】
【発明が解決しようとする課題】
【０００９】
解決しようとする問題点は、洗顔ブラシの穂先が肌に触れ押し付けた時、肌触りが良く、一本、一本の毛先が肌の毛穴に入り、本発明の洗顔ブラシで擦れば、毛穴の汚れ等が、肌触りが良く、毛穴まで洗顔可能に毛の構成で解決しようというものである。
【課題を解決するための手段】
【００１０】
本発明は上記目的を達成する為に長寸の獣毛と、これより１．５％〜２．０％短い短寸の獣毛と、人工毛とがほぼ同量に混合され毛束をハンドル部に固着した洗顔ブラシにおいて、人工毛の長さが長寸の１．０〜０．５倍の長さに分布していることを特徴とする洗顔ブラシで構成されている。
【００１１】
上記の人工毛は、長さの揃った人工毛の毛束で、毛元の端の半分を斜めにカットし、該カット端の高さを揃えることにより、上端の高さが１．０〜０．５倍の長さに揃え、上記の長寸の獣毛と短寸の獣毛で構成された各毛を同量混合した洗顔ブラシの製造方法が特徴とされる。
【発明の効果】
【００１２】
洗顔ブラシの毛の構成を、肌触りの良い獣毛の長寸の毛と１．５〜２．０％の短寸の獣毛を組合せ、それに、人工毛の毛束の毛先の反対側の下底部を斜めにカットして得た長寸の１．０〜０．５倍の長さが、前述の２種類の獣毛と混合されて獣毛の腰の柔らかさをサポートする効果がある。
【００１３】
また、獣毛の１．５〜２．０％の短寸の獣毛は、長寸の獣毛が曲がったり、逸れて毛穴に入らなかった時にも、腰の硬い人工毛が直接肌に触れると肌触りが悪いが、短寸の獣毛が先に肌に触り和らげ肌感触を保持し、又は、短寸の獣毛が毛穴に入って洗浄する効果が得られる。
【００１４】
更に、長寸の１．０〜０．５倍の短寸の長さの人工毛は、洗顔ブラシを石鹸に擦り付けて泡立てする際に、一番短寸目が石鹸を引っ掻き出し、該引っ掻き出された石鹸を中寸目が泡立て、該泡を段々と長くなる人工毛が泡を小さくし、獣毛と一緒に毛穴に入り毛穴の洗浄効力を増す効果がある。
【発明を実施するための最良の形態】
【００１５】
以下、本発明の実施形態を図１〜図８に基づいて説明するが、本図面では、説明を容易にするために模式図としている。
【００１６】
図１は、本発明の（１）が洗顔ブラシの穂で（２）のハンドルに固着した完成品の斜図である。以下、本発明の洗顔ブラシの穂の部分の製法と毛の構成を説明する。
【００１７】
図２は、獣毛の毛のみ必要な毛長（Ａ）に毛先を残し根本をカットして、同じ長さの毛（３）を円柱状に毛束にした斜図と部分断面の模式図で獣毛（３）の形状を拡大した斜図である。
【００１８】
図３は、長寸（Ａ）の毛（３）より１．５〜２．０％短寸（Ｂ）の毛（４）も同様に円柱状に毛束にしたものである。そして、本発明の洗顔用獣毛（４）の形状が解り易くするために、部分断面の模式図で獣毛（４）の形状を拡大した斜図である。
【００１９】
図４は、獣毛の短寸（Ｂ）と同様の毛寸（Ｃ）の人工毛（５）も円柱状に毛束したものである。そして、本発明の洗顔用人工毛（５）の形状が解り易くするため、部分断面の模式図で人工毛（５）の形状を拡大した斜図である。
【００２０】
図５は、人工毛（５）の円柱状の毛束の半分を毛先の根本の底面（Ｘ）を約４５度に斜めにカットした面（Ｙ）を現し、長寸（Ａ）の１，０〜０．５倍の段階的な毛長を得た斜図である。
【００２１】
図６は、前述の人工毛（５）の毛束の底面（Ｙ）を斜めにカットした毛束と部分断面的に模式図で毛を拡大したものである。これによって、人工毛（５）の毛寸が段階的に得る斜図である。
【００２２】
図７は、図２の長寸（Ａ）の毛（３）の毛束と短寸（Ｂ）の毛（４）の毛束と、それに図４の人工毛（５）の毛束を穂先基準で揃えた毛束を十分締めて密度の高い毛束を製作するが、根本基準で揃えると穂先が過剰広がるので、穂先基準で揃えて混合し、洗顔ブラシの大きさに応じた毛量の毛束で、毛の状態をわかり易く部分断面で毛並びを拡大した模式図である。
【００２３】
図８は、前述の毛先揃えで各毛束を混合したものを洗顔ブラシの毛本揃えに毛束したもので、根本で揃えることによって、獣毛（３）、獣毛（４）と段階的な毛長の人工毛（５）がランダムに混合された毛束の毛の並び状態をわかり易く部分断面で拡大した模式図である。
【００２４】
図７の毛束が抜けないように毛束の底部に接着剤を浸透させてハンドル（２）に固着し、図１のように完成品にし、ハンドル（２）の低部の真中に直径３〜５ミリの水抜き用の孔を貫通させる。  
【００２５】
本発明は、目的の洗顔ブラシの長寸（Ａ）の先の尖った獣毛（３）の円柱状の毛束と、先の尖った１．５〜２．０％の短寸（Ｂ）の長さの異なる獣毛（４）の円柱状の毛束と先の尖った人工毛（５）の円柱状の毛束の根本の半分の下底端（Ｘ）を斜めにカットして得た毛束の三種類の毛束の同毛量を、洗顔ブラシの場合、穂先が余り広がらないように毛先揃えで混合して目的の毛量の毛束を製作し、次に前述の毛束の下底端を基準に揃えてハンドル（２）の挿入部に穂先が抜けないように接着剤で固着した洗顔ブラシである。
【００２６】
上記、人工毛（５）の腰の強さが泡立てを良くし、肌触りの良さの獣毛（３）（４）は、獣毛の柔軟さを腰の強い人工毛（５）が根本を斜めにカットすることによる段階的に得た長さを混合してあるので、獣毛（３）（４）だけの腰の柔軟さでは、石鹸の泡立てが弱く、また、肌への固有物の除去力と毛穴の汚れの洗浄力が弱い為に、人工毛（５）の毛束の下底端（Ｘ）の半分を斜めにカットして生じた段階的な人工毛（５）は、長さによっての腰の強さ変わり、獣毛（３）（４）の腰の柔らかさをサポートすると、同時に、特に毛寸が短寸の人工毛が石鹸の溶解効果をあげ、その石鹸を段階的な毛の長さが小さい泡へと段階的に仕上げていく効力を増長する。
【図面の簡単な説明】
【００２７】
【図１】洗顔ブラシの完成斜図。
【図２】長寸の獣毛の毛束の斜図と部分断面の獣毛拡大模式図。
【図３】短寸の獣毛の毛束の斜図と部分断面の獣毛拡大模式図。
【図４】人工毛の毛束の斜図と部分断面の人工毛拡大模式図。
【図５】人工毛底部を４５度カットした毛束斜図。
【図６】図４の部分断面の人工毛拡大模式図。
【図７】各毛束を毛先揃えで混合した毛束摸式図。
【図８】各毛束を混毛した毛下揃えの毛束斜図と部分断面の毛並び状態と毛の拡大摸式図。
【符号の説明】
【００２８】
１   洗浄ブラシ穂
２   ハンドル
３  長寸の毛
４  短寸の毛
５  人工毛
Ａ  長寸獣毛長さ  
Ｂ  短寸獣毛長さ
Ｃ  人工毛長さ
Ｗ  毛束先面
Ｘ  毛束下底面
Ｙ  毛束カット面
【図１】
2007236715.tif 000003
【図２】
2007236715.tif 000004
【図３】
2007236715.tif 000005
【図４】
2007236715.tif 000006
【図５】
2007236715.tif 000007
【図６】
2007236715.tif 000008
【図７】
2007236715.tif 000009
【図８】
2007236715.tif 000010